(57)【要約】      （修正有）【課題】釣りに用いられる遠投用おもりについて、仕掛けを遠方に投げたときに着水地点が容易に視認できるようにした遠投用おもりを提供する。【解決手段】遠投用おもりは、分離可能に結合され、結合されたとき、中央部分に釣り糸が貫通可能な通路を形成する第１および第２ケース１，２からなる本体を備え、第１ケース１はＬＥＤランプ１１とおもりとを内蔵しており、ＬＥＤランプ１１に電気を供給する電池１３が差し込まれる電池ポケット１２が内部に形成されており、外側カバー１４の少なくとも一部が透明または半透明であり、ＬＥＤランプ１１の光が本体外部に放たれる。【選択図】図２
0003196901.tif 000002
【実用新案登録請求の範囲】
【請求項１】
釣りに用いられる遠投用おもりであって、
分離可能に結合され、結合されたとき、中央部分に釣り糸が貫通可能な通路を形成する第１および第２ケースからなる本体を備え、
前記第１ケースは、
ＬＥＤランプと、おもりとを内蔵しており、
前記ＬＥＤランプに電気を供給する電池が差し込まれる電池ポケットが、内部に形成されており、
外側カバーの少なくとも一部が透明または半透明であり、前記ＬＥＤランプの点灯時に光が前記本体の外部に放たれる
ことを特徴とする遠投用おもり。
【考案の詳細な説明】
【技術分野】
【０００１】
本考案は、メバル、アジなどの釣りに用いる遠投用おもりに関するものである。
【背景技術】
【０００２】
遠投用おもりは、メバル、アジなどの釣りに用いられるものであり、釣針にルアー（疑似餌）をつけた軽い仕掛けを沖合などの遠方に飛ばすために用いられる。
【０００３】
特許文献１では、夜釣り用の浮きとして、防水ケーシングの内部空間に、発光ダイオード（ＬＥＤ：Light Emitting Diode）ランプと、その電源であるピン型リチウム電池とを備え、ＬＥＤランプの点灯と消灯を、移動子の上下移動によって可能にした構造が開示されている。この構造により、釣り人は、魚が餌に口をつけるアタリを光のちらつきにより視覚的に感知することができる。
【先行技術文献】
【特許文献】
【０００４】
【特許文献１】特開２００２−１１２６８５号公報
【考案の概要】
【考案が解決しようとする課題】
【０００５】
釣りに用いられる遠投用おもりでは、特に夜間において、仕掛けを遠方に投げたときの着水地点が容易に視認できることが好ましい。これにより、釣り人は、夜間でも効率的に釣りを行うことができる。
【０００６】
本考案は、かかる点に鑑みてなされたものであり、その目的は、遠投用おもりについて、仕掛けを遠方に投げたときに着水地点が容易に視認できるようにすることにある。
【課題を解決するための手段】
【０００７】
本考案の一態様では、釣りに用いられる遠投用おもりであって、分離可能に結合され、結合されたとき、中央部分に釣り糸が貫通可能な通路を形成する第１および第２ケースからなる本体を備え、前記第１ケースは、ＬＥＤランプと、おもりとを内蔵しており、前記ＬＥＤランプに電気を供給する電池が差し込まれる電池ポケットが内部に形成されており、  外側カバーの少なくとも一部が透明または半透明であり、前記ＬＥＤランプの点灯時に光が前記本体の外部に放たれる。
【０００８】
これによると、第１ケースに内蔵されたＬＥＤランプが電池によって発光し、その光が外側カバーを介して外部に放たれるので、釣り人は、たとえ夜間であっても、遠投用おもりのありかを容易に認識することができる。したがって、釣り人は、仕掛けを遠方に投げたときに、その着水地点を容易に視認することができる。
【考案の効果】
【０００９】
本考案によれば、釣り人は、仕掛けを遠方に投げたときに、その着水地点を容易に視認することができる。
【図面の簡単な説明】
【００１０】
【図１】遠投用おもりの一例の外観図
【図２】図１の遠投用おもりについて、ケースを分離した状態を示す図
【図３】第１ケースの内部構成の概略図
【図４】遠投用おもりを用いた仕掛けの例
【考案を実施するための形態】
【００１１】
以下、本考案の実施形態を、図面に基づいて詳細に説明する。
【００１２】
図１は遠投用おもり１０の一例の外観図であり、図２は図１の遠投用おもり１０の本体を構成するケースを分離した状態を示す図である。遠投用おもり１０は、分離可能に結合された第１ケース１と第２ケース２とを備えており、第１および第２ケース１，２が結合されることによって遠投用おもり１０の本体を構成する。第１および第２ケース１，２が結合されたとき、中央部分に釣り糸４が貫通可能な通路３が形成される。釣り人は、通路３に釣り糸４を通すことによって、仕掛けを作ることができる。
【００１３】
図２に示すように、第１ケース１は、ＬＥＤランプ１１を内蔵している。そして、ＬＥＤランプ１１に電気を供給する電池１３が差し込まれる電池ポケット１２が、第１ケース１の内部に形成されている。電池１３は例えば、細長形状のリチウム電池である。電池ポケット１２に電池１３を挿入し、第１ケース１と第２ケース２とを結合することによって、ＬＥＤランプ１１が点灯する。第１ケース１の外側カバー１４は、透明または半透明であり、ＬＥＤランプ１１の発光時に光が本体の外部に放たれるようになっている。なお、外側カバー１４はその全部が透明または半透明である必要はなく、ＬＥＤランプ１１の光が外部に放たれるように、その一部が透明または半透明であってもよい。また、突起部１５は中空構造であり、釣り糸４が貫通可能な通路３を形成するものである。
【００１４】
図３は第１ケース１の内部構成の概略図である。中空構造である突起部１５の周囲に、２個の電池ポケット１２が形成されている。また、突起部１５の周囲に、２個のおもり１６が設けられている。このおもり１６の重量や個数を変えることによって、遠投用おもり１０の着水後の状態のタイプを、例えば、水に浮くタイプ、沈むタイプというように、設定することができる。
【００１５】
図１〜図３に示すような遠投用おもり１０を用いると、釣り人は、夜間において、遠方に投げた仕掛けの着水地点を、ＬＥＤランプ１１の発光により容易に視認することができる。なお、ＬＥＤランプ１１を点灯させないときは、電池１３を電池ポケット１２に逆向きに差し込んでおけばよい。これにより、遠投用おもり１０の重量が変わらないので、ＬＥＤランプ１１の点灯時と同等の飛び条件を得ることができる。
【００１６】
また、ＬＥＤランプ１１の発光色が異なる複数の遠投用おもり１０を準備しておき、釣りの対象とする魚種に応じて、用いる遠投用おもり１０を変えるようにしてもよい。例えば、発光色が青色の遠投用おもり１０はサバ・タチウオに、緑色の遠投用おもり１０はアジ・メバルに、赤色の遠投用おもり１０はアジ・メバル・シーバスに、用いればよい。
【００１７】
図４は遠投用おもり１０を用いた仕掛けの例である。遠投用おもり１０にリーダー２２を通しており、リーダー２２はライン２１と結ばれている。２３はシモリ玉、２４はサルカン、２５はジグヘッド、２６はワームである。釣り人は、図４のような仕掛けを遠方に投げたとき、遠投用おもり１０内部のＬＥＤランプ１１の発光により、着水地点を容易に視認することができる。
【符号の説明】
【００１８】
１  第１ケース
２  第２ケース
３  通路
４  釣り糸
１０  遠投用おもり
１１  ＬＥＤランプ
１２  電池ポケット
１３  電池
１４  外側カバー
１６  おもり
【図１】
0003196901.tif 000003
【図２】
0003196901.tif 000004
【図３】
0003196901.tif 000005
【図４】
0003196901.tif 000006